(57)【特許請求の範囲】
【請求項１】
自身に記録された金額情報に基づいて自動販売機によって販売される商品を購入することのできるカードの有効期限を制御するための方法であって、
前記カードに前記自動販売機を識別するための識別情報を記録し、
前記自動販売機に前記カードが挿入された場合に、前記カードに記録されている識別情報が該自動販売機に設定されている複数の識別情報のいずれかと一致するか否かを判定し、
該判定結果が前記一致を判定した場合に、前記自動販売機において、前記カードに記録されている金額情報に基づく金額の商品の販売処理を実行し、
順次発行される前記カードに記録される識別情報に対応させて、前記自動販売機に設定される複数の識別情報を時間的にずらしながら順次変更する、
過程を含むことを特徴とする有効期限制御機能付自動販売機用カードシステム。
【請求項２】
自身に記録された金額情報に基づいて自動販売機によって販売される商品を購入することのできるカードの有効期限を制御するための方法であって、
前記カードに前記自動販売機を識別するための識別情報を記録し、
前記自動販売機に前記カードが挿入された場合に、前記カードに記録されている識別情報が該自動販売機に設定されている２つの識別情報のいずれかと一致するか否かを判定し、
該判定結果が真である場合に、前記自動販売機において、前記カードに記録されている金額情報に基づく金額の商品の販売処理を実行し、
順次発行される前記カードに記録される識別情報に対応させて、前記自動販売機に設定される２つの識別情報を時間的にずらしながら順次変更する、
過程を含むことを特徴とする有効期限制御機能付自動販売機用カードシステム。
【請求項３】
請求項１または２のいずれか１項に記載のシステムであって、
順次発行される前記カードに記録される識別情報に対応させて、前記自動販売機に設定される２つまたは複数の識別情報を時間的にずらしながら順次変更する過程とは択一的に、前記自動販売機に設定される２つまたは複数の識別情報を同時に変更する過程をさらに含む、
ことを特徴とする有効期限制御機能付自動販売機用カードシステム。
【発明の詳細な説明】
【０００１】
【発明の属する技術分野】
本発明は、磁気カード等によって自動販売機で販売される飲料商品等を購入することのできるシステムにおけるカードの有効期限の制御技術に関する。
【０００２】
【従来の技術】
自動販売機によって販売される商品は、従来は貨幣（コインまたは紙幣）を投入することにより販売されるのが通常であったが、最近では、磁気カード式のプリペイドカードを挿入することにより商品を販売することのできる自動販売機も開発されている。
【０００３】
この場合に、プリペイドカードは、利用者が予め所定の金額を払って購入し、使用する毎にそのカードに記録された金額情報が減算されてゆくのが一般的である。従って、このようなプリペイドカードは、有価証券とみなされる。
ここで、例えばパチンコ店等の各種レジャー施設において賞品（景品）としてこのようなカードを配布することができれば、顧客は例えば店内に設置された自動販売機によって飲料商品を購入することができ、サービス向上につながる。
【０００４】
しかし、プリペイドカードのような有価証券は賞品（景品）として配布することは法律によって禁じられている場合が多い。
【０００５】
そこで、例えば当該施設内に設置した自動販売機のみで所定の有効期限内に限り利用可能であり、しかもカード１枚で１杯（または１個）の飲料商品（またはその他の商品）の供給を受けることができれば、カードは１杯の飲料商品等と全く同質のものであり、有価証券とは認定されない。これにより、いままで顧客から軽視されがちだった少額賞品（景品）を提供することが可能となる。またカードが賞品（景品）となるため、手軽で在庫管理も容易であり、低コストで顧客の満足度と来店のリピート効果を向上させることが可能となる。更に、有効期限を設定することにより、偽造防止等のセキュリティ対策にも役立てることができる。
【０００６】
このようなサービスを実現するためには、カード１枚が利用毎に自動販売機内に収容され、収容されたカードをリサイクルすることにより、コストの低減を図ることを前提として、カードを有効期限内においてのみ利用可能とする必要がある。
【０００７】
そのための従来技術として、カードに正確な有効期限情報を記録させ、カードが自動販売機に挿入された時点でその有効期限を判定する技術が考えられる。
【０００８】
【発明が解決しようとする課題】
カードは、その低コスト性を確保するために、多くの枚数単位で出荷され、それらのカードがいったん利用施設内にストックされ、その後それらが順次配布、消費され、消費されたカードは自動販売機内に収容され、収容されたカードをリサイクルし、再度出荷される。このような場合に、上記従来技術を導入しようとした場合は、カードに配布時点を起点とする有効期限情報を記録させる必要があり、そのためには利用施設内にカードエンコーダ装置を設置する必要が生じる。このために、従来は、自動販売機カードシステムを設置、運用するためのコストが高くなってしまうという問題点を有していた。
【０００９】
本発明の課題は、利用施設内にカードエンコーダ装置を設置する必要性をなくし、適切な有効期限管理を実現することにある。
【００１０】
【課題を解決するための手段】
本発明は、自身に記録された金額情報に基づいて自動販売機（１０５，７０４）によって販売される商品を購入することのできるカード（１０４，７０３）の有効期限を制御するための方法を前提とする。
【００１１】
本発明ではまず、カードに自動販売機を識別するための識別情報（ロケーションコード）が記録される。
【００１２】
次に、自動販売機にカードが挿入された場合に、そのカードに記録されている識別情報がその自動販売機に設定されている２つの識別情報のいずれかと一致するか否かが判定される。
【００１３】
その判定結果が真である場合に、自動販売機において、カードに記録されている金額情報に基づく金額の商品の販売処理が実行される。
【００１４】
そして、順次発行されるカードに記録される識別情報に対応させられ、自動販売機に設定される２つの識別情報が時間的にずらされながら順次変更される。
【００１５】
上述の本発明の構成において、順次発行されるカードに記録される識別情報に対応させられて自動販売機に設定される２つの識別情報が時間的にずらされながら順次変更される動作とは択一的に、自動販売機に設定される２つの識別情報が同時に変更させられる動作が実行されるように構成することができる。
【００１６】
本発明の比較参考例として次の態様が示される。この場合、まず、カードに自動販売機を識別するための識別情報（ロケーションコード）と、そのカードの消費見込み期間に適切なオフセットを加えて得られる消費期限（有効期限）が記録される。
【００１７】
次に、自動販売機にカードが挿入された場合に、そのカードに記録されている識別情報がその自動販売機に設定されている識別情報と一致し、かつそのカードに記録されている消費期限が本日の日付を含む以降の日付に対応する期限であるか否かが判定される。
【００１８】
その判定結果が真である場合に、自動販売機において、カードに記録されている金額情報に基づく金額の商品の販売処理が実行される。
【００１９】
【発明の実施の形態】
以下、図面を参照しながら本発明の実施の形態について詳細に説明する。
【００２０】
図１は、本発明の実施の形態の構成図である。
【００２１】
自動販売機１０５は、カードリーダ装置１０８、ロケーションコード認証装置１０７、およびロケーションコード登録装置１０６を備える。
【００２２】
カードエンコーダ装置１０３、ロケーションコード・金額登録装置１０１、およびロケーションコードデータベース１０２は、磁気カード１０４の出荷を行う企業内に設置される。
【００２３】
出荷企業では、ロケーションコード・金額登録装置１０１が、出荷先の利用施設を一意に識別するためのロケーションコードと、その磁気カード１０４によって購入することのできる自動販売機商品の金額を、ロケーションコードデータベース１０２を操作しながら決定し、カードエンコーダ装置１０３にエンコード指示を行う。
【００２４】
カードエンコーダ装置１０３は、ロケーションコード・金額登録装置１０１が決定したロケーションコードと金額のデータを、磁気カード１０４に記録する。このようにして記録が行われた磁気カード１０４は、多数枚単位（例えば１０００枚単位）で利用施設に出荷される。
【００２５】
利用施設では、磁気カード１０４は少額景品として顧客に配布され、顧客は、配布された磁気カード１０４をその利用施設内の自動販売機１０５に挿入することにより、それが販売する飲料商品等を購入することができる。
【００２６】
この場合に、磁気カード１０４に記録される金額は、例えば自動販売機１０５において飲料商品を１杯だけ購入できる金額に設定されており、この磁気カード１０４は、自動販売機１０５によってそのまま回収される。
【００２７】
また、磁気カード１０４の利用に際しては、ゆるやかに規定された有効期限が決められており、顧客はその有効期限内でその磁気カード１０４を使用する。
【００２８】
上述の構成を有する本発明の実施の形態の動作原理について、図２の動作シーケンス図を参照しながら説明する。
【００２９】
ここでは、ある１つの利用施設の自動販売機１０５での磁気カード１０４の使用を想定する。
【００３０】
まず、図２(a) に示されるように、時点ｔ１で、ロケーションコード１が記録された磁気カード１０４が例えば１０００枚、上記利用施設に出荷される。
【００３１】
これに合わせて自動販売機１０５のロケーションコード登録装置１０６によって、図２(c) に示されるように、ロケーションコード１が登録される。
【００３２】
ロケーションコード１が記録された磁気カード１０４は、図２(b) に示されるように、出荷後適当な在庫期間ｔ１〜ｔ２を経てから、期間ｔ２〜ｔ４において配布、使用される。この場合、自動販売機１０５内のロケーションコード認証装置１０７は、図２(c) に示される期間ｔ１〜ｔ５においては、時点ｔ１においてロケーションコード登録装置１０６によって登録されたロケーションコード１が記録された磁気カード１０４がカードリーダ装置１０８に挿入された場合に、その磁気カード１０４は有効期限内に使用されたと判定し、商品販売処理を実行する。
【００３３】
次に、図２(a) に示されるように、時点ｔ３において、ロケーションコード２が記録された磁気カード１０４が例えば１０００枚出荷される。
【００３４】
これに合わせて自動販売機１０５のロケーションコード登録装置１０６によって、図２(c) に示されるように、ロケーションコード１に加えて、ロケーションコード２が登録される。
【００３５】
ロケーションコード２が記録された磁気カード１０４は、図２(b) に示されるように、出荷後適当な在庫期間ｔ３〜ｔ４を経てから、期間ｔ４〜ｔ６において配布、使用される。この場合、自動販売機１０５内のロケーションコード認証装置１０７は、図２(c) に示される期間ｔ３〜ｔ５においては、時点ｔ１においてロケーションコード登録装置１０６によって登録されたロケーションコード１が記録された磁気カード１０４、または時点ｔ３においてロケーションコード登録装置１０６によって登録されたロケーションコード２が記録された磁気カード１０４のいずれかがカードリーダ装置１０８に挿入された場合に、それらの磁気カード１０４が有効期限内に使用されたと判定し、商品販売処理を実行する。
【００３６】
続いて、図２(a) に示されるように、時点ｔ５において、ロケーションコード３が記録された磁気カード１０４が例えば１０００枚出荷される。
【００３７】
これに合わせて自動販売機１０５のロケーションコード登録装置１０６によって、図２(c) に示されるように、ロケーションコード２に加えて、ロケーションコード３が登録され、ロケーションコード１の登録は削除される。
【００３８】
ロケーションコード３が記録された磁気カード１０４は、図２(b) に示されるように、出荷後適当な在庫期間ｔ５〜ｔ６を経てから、期間ｔ６〜ｔ８において配布、使用される。この場合、自動販売機１０５内のロケーションコード認証装置１０７は、図２(c) に示される期間ｔ５〜ｔ７においては、時点ｔ３においてロケーションコード登録装置１０６によって登録されたロケーションコード２が記録された磁気カード１０４、または時点ｔ５においてロケーションコード登録装置１０６によって登録されたロケーションコード３が記録された磁気カード１０４のいずれかがカードリーダ装置１０８に挿入された場合に、それらの磁気カード１０４が有効期限内に使用されたと判定し、商品販売処理を実行する。
【００３９】
上述の動作タイミングにおいて、図２(a) の磁気カード１０４の出荷時点と図２(c) のロケーションコードの登録時点は厳密に一致する必要はなく、多少ずれても問題はない。同様に、図２(b) に示される磁気カード１０４の消費期間も、多少ずれても問題はない。
【００４０】
以上のようにして、本発明の実施の形態では、磁気カード１０４に有効期限に関するデータを記録することなく、自動販売機１０５において２つずつのロケーションコードを重ねて認証させ、それらのロケーションコードを時間的にずらしながら順次変更してゆくことにより、磁気カード１０４の有効期限の制御を行うことが可能となる。
【００４１】
図３は、上述の動作原理に基づく図１のロケーションコード・金額登録装置１０１の制御動作を示す動作フローチャートである。この動作フローチャートは、特には図示しないＣＰＵが特には図示しないメモリに記憶された制御プログラムを実行する動作として実現される。
【００４２】
まず、図３のステップ３０１で、ロケーションコード算出処理が実行される。ロケーションコードは、利用施設毎および各自動販売機１０５毎に一意となるように算出される。例えば、本日の年月日と適当なシーケンス番号等の組合せとして算出することができる。
【００４３】
次に、図３のステップ３０２で、ロケーションコード登録処理が実行される。図４は、この処理の詳細を示す動作フローチャートである。この処理では、例えば図５に示されるデータ構成を有するロケーションコードデータベース１０２が使用される。
【００４４】
ロケーションコードデータベース１０２において、各利用施設および自動販売機毎に１レコード（図５の表の横１行）が登録される。
【００４５】
各レコードには、店名フィールド、ロケーションコード１フィールド、ロケーションコード２フィールド、金額フィールド、および電話番号フィールドが定義されている。
【００４６】
店名フィールドには、利用施設名および自動販売機名が登録される。
【００４７】
ロケーションコード１フィールドには、そのレコードに対応する利用施設および自動販売機１０５に対して、時間的に古く登録された方の第１のロケーションコードが登録される。
【００４８】
ロケーションコード２フィールドには、そのレコードに対応する利用施設および自動販売機１０５に対して、時間的に新しく登録された方の第２のロケーションコードが登録される。
【００４９】
金額フィールドには、そのそのレコードに対応する利用施設および自動販売機１０５で販売される商品の金額が登録される。なお、１つの自動販売機１０５が複数種類の金額の商品を扱う場合には、それに対応して複数のレコードが登録され、複数の磁気カード１０４が発行される。
【００５０】
電話番号フィールドについては後述する。
【００５１】
図３のステップ３０２のロケーションコード登録処理では、まず磁気カード１０４の発行者に対して、例えば図５に示されるような表形式でロケーションコードデータベース１０２の内容をディスプレイ等に表示するユーザインタフェースを用いて、これから磁気カード１０４の発行処理を行う利用施設および自動販売機１０５に対応するレコードを指定させる。
【００５２】
発行者がレコードを指定すると、まず図４のステップ４０１で、そのレコードのロケーションコード２フィールドに登録されているロケーションコード値がそのレコードのロケーションコード１フィールドに移動させられる。
【００５３】
次に図４のステップ４０２で、そのレコードのロケーションコード２フィールドに、図３のステップ３０１で算出されたロケーションコードが登録される。
【００５４】
上述の図４のステップ４０１および４０２で示される図３のステップ３０２のロケーションコード登録処理が終了すると、図３のステップ３０３で、エンコード指示処理が実行される。この処理では、図３のステップ３０１で算出されたロケーションコードと、図３のステップ３０２で磁気カード１０４の発行者によって指定された、これから磁気カード１０４の発行処理を行う利用施設および自動販売機１０５に対応するロケーションコードデータベース１０２内のレコードの金額フィールドに登録されている金額の記録処理が、カードエンコーダ装置１０３に対して指示される。この結果、カードエンコーダ装置１０３は、それにセットされた磁気カード１０４に、上記ロケーションコードと金額を書き込む。
【００５５】
このようにしてロケーションコードと金額の書込みが行われた磁気カード１０４が、例えば１０００枚単位で、該当する利用施設に出荷される。
【００５６】
上述の動作に合わせて、磁気カード１０４の発行者は、例えば自動販売機１０５に商品を納入する業者に対して、図３のステップ３０１で算出されたロケーションコードを通知する。具体的には、発行者は、例えば図５に示されるような表形式でロケーションコードデータベース１０２の内容をディスプレイ等に表示するユーザインタフェースを用いて、磁気カード１０４の発行処理を行った利用施設および自動販売機１０５に対応するレコードのロケーションコード２フィールドの値を、上記業者に通知する。
【００５７】
この場合に、そのレコードに図５に示される電話番号フィールドを設け、そのフィールドに上記業者の電話番号を登録しておけば通知に便利である。
【００５８】
上記業者は、該当する自動販売機１０５に商品を納入する時点等において、その自動販売機１０５のロケーションコード登録装置１０６を操作して、その自動販売機１０５に対して登録されている２つのロケーションコードのうち、古く登録された方のロケーションコードに代えて、磁気カード１０４の発行者から通知されたロケーションコードを新たに登録する。これにより、図２で説明した動作シーケンスが実現される。
【００５９】
なお、自動販売機１０５への新たなロケーションコードの登録動作は、上述のように人手によらず、電話回線等を通じて行うようにすることも可能である。
【００６０】
この場合に、ロケーションコード・金額登録装置１０１と自動販売機１０５内のロケーションコード登録装置１０６は、それぞれ互いにロケーションコードを通信できる通信ハードウエアおよび通信ソフトウエアを内蔵する。
【００６１】
そして、ロケーションコード・金額登録装置１０１は、図３のステップ３０２のロケーションコード登録処理において、図４の動作フローチャートによってロケーションコードデータベース１０２の該当するレコードに登録されたロケーションコード１フィールドとロケーションコード２フィールドの２つのロケーションコード値を、そのレコードの電話番号フィールドに登録された電話番号にダイヤルして送信する。
【００６２】
この電話番号は、自動販売機１０５内のロケーションコード登録装置１０６の通信装置に対応付けられており、これによりロケーションコード登録装置１０６は、ロケーションコード・金額登録装置１０１から送信された２つのロケーションコード値を、自動販売機１０５に登録し直す。
【００６３】
図６は、図１の自動販売機１０５内のロケーションコード認証装置１０７の制御動作を示す動作フローチャートである。この動作フローチャートは、特には図示しないＣＰＵが特には図示しないメモリに記憶された制御プログラムを実行する動作として実現される。
【００６４】
まず、カードリーダ装置１０８に磁気カード１０４が挿入されると、図６のステップ６０１で、カードリーダ装置１０８によって読みとられた磁気カード１０４に記録されているロケーションコードが、ロケーションコード登録装置１０６によって登録されている古い方のロケーションコード１と一致するか否かが判定される。
【００６５】
一致が判定された場合には、ステップ６０３で、カードリーダ装置１０８によって読みとられた磁気カード１０４に記録されている金額で販売可能な自動販売機１０５の商品の販売処理が実行される。
【００６６】
ステップ６０１で不一致が判定された場合には、ステップ６０２で、カードリーダ装置１０８によって読みとられた磁気カード１０４に記録されているロケーションコードが、ロケーションコード登録装置１０６によって登録されている新しい方のロケーションコード２と一致するか否かが判定される。
【００６７】
一致が判定された場合には、ステップ６０３で、カードリーダ装置１０８によって読みとられた磁気カード１０４に記録されている金額で販売可能な自動販売機１０５の商品の販売処理が実行される。
【００６８】
ステップ６０２で不一致が判定された場合またはステップ６０３の処理の後、ステップ６０４で、挿入された磁気カード１０４の回収処理が実行される。本実施の形態では、磁気カード１０４は、それ１枚で自動販売機１０５の１つの商品のみ購入可能なように、それに記録される金額が取り決められている。
【００６９】
上述の本発明の実施の形態の構成において、順次発行される磁気カード１０４に記録されるロケーションコードに対応させて自動販売機１０５に設定される２つのロケーションコードを時間的にずらしながら順次変更する動作とは択一的に、自動販売機１０５に設定される２つのロケーションコードを同時に変更する動作が実行されるように構成することができる。
【００７０】
これによって、偽造などの目的外の利用を抑制或いは排除することが可能となる。
【００７１】
上述のように本発明の実施の形態において使用される磁気カード１０４は、発行すればそのカードがいつの時点で利用されまたは使い切られるかが不明な従来のプリペイドカードとは利用形態が異なるものであり、リサイクルが前提でもある。この磁気カード１０４は、ある在庫期間を経て順次消費されそれが自動販売機１０５の中に回収されてゆくことにより、在庫の磁気カード１０４がどのように消費されたかが把握できる仕組みになっており、これによりロケーションコードの変更のタイミングを決定することができるという特徴を有する。
【００７２】
図７は、本発明の比較参考例の実施の形態の構成図である。
自動販売機７０４は、カードリーダ装置７０６と認証装置７０５を備える。
【００７３】
自動販売機７０４は、カードリーダ装置７０６と認証装置７０５を備える。
【００７４】
カードエンコーダ装置７０２およびロケーションコード・金額・有効期限登録装置７０１は、磁気カード７０３の出荷を行う企業内に設置される。
【００７５】
出荷企業では、ロケーションコード・金額・有効期限登録装置７０１が、出荷先の利用施設を一意に識別するためのロケーションコードと、その磁気カード７０３によって購入することのできる自動販売機商品の金額と、その磁気カード７０３の有効期限を決定し、それらの磁気カード７０３への書込みを、カードエンコーダ装置７０２に指示する。
【００７６】
カードエンコーダ装置７０２は、ロケーションコード・金額・有効期限登録装置７０１が決定したロケーションコードと金額と有効期限のデータを、磁気カード７０３に記録する。このようにして記録が行われた磁気カード７０３は、多数枚単位（例えば１０００枚単位）で利用施設に出荷される。
【００７７】
利用施設では、磁気カード７０３は少額景品として顧客に配布され、顧客は、配布された磁気カード７０３をその利用施設内の自動販売機７０４に挿入することにより、それが販売する飲料商品等を購入することができる。
【００７８】
上述の構成を有する本発明の比較参考例の実施の形態の動作原理について、図８の動作シーケンス図を参照しながら説明する。
【００７９】
ここでは、ある１つの利用施設の自動販売機７０４での磁気カード７０３の使用を想定する。
【００８０】
まず、図８(a) に示されるように、時点ｔ１で、有効期限１が記録された磁気カード７０３が例えば１０００枚、上記利用施設に出荷される。
【００８１】
この有効期限は、図８(c) に示されるように、出荷時点ｔ１から時点ｔ５までの期間である。
【００８２】
有効期限１が記録された磁気カード７０３は、図８(b) に示されるように、出荷後適当な在庫期間ｔ１〜ｔ２を経てから、期間ｔ２〜ｔ４において配布、使用される。この場合、自動販売機７０４内の認証装置７０５は、有効期限１が記録された磁気カード７０３がカードリーダ装置７０６に挿入された場合に、現在の日付がその磁気カード７０３の有効期限１を過ぎていない場合に、商品販売処理を実行する。
【００８３】
次に、図８(a) に示されるように、時点ｔ３において、有効期限２が記録された磁気カード７０３が例えば１０００枚出荷される。
【００８４】
有効期限２が記録された磁気カード７０３は、図８(b) に示されるように、出荷後適当な在庫期間ｔ３〜ｔ４を経てから、期間ｔ４〜ｔ６において配布、使用される。この場合、自動販売機内の認証装置７０５は、有効期限２が記録された磁気カード７０３がカードリーダ装置７０６に挿入された場合に、現在の日付がその磁気カード７０３の有効期限２を過ぎていない場合に、商品販売処理を実行する。
【００８５】
続いて、図８(a) に示されるように、時点ｔ５において、有効期限３が記録された磁気カード７０３が例えば１０００枚出荷される。
【００８６】
有効期限３が記録された磁気カード７０３は、図８(b) に示されるように、出荷後適当な在庫期間ｔ５〜ｔ６を経てから、期間ｔ６〜ｔ８において配布、使用される。この場合、自動販売機内の認証装置７０５は、有効期限３が記録された磁気カード７０３がカードリーダ装置７０６に挿入された場合に、現在の日付がその磁気カード７０３の有効期限３を過ぎていない場合に、商品販売処理を実行する。
【００８７】
上述の動作タイミングにおいて、図８(b) に示される磁気カード７０３の消費期間は、多少ずれても問題はない。
【００８８】
以上のように、本発明の前記比較参考例の実施の形態では、磁気カード７０３に有効期限に関するデータを記録し、該データにより有効期間のチェックをしている。
【００８９】
本発明の態様によれば、カードに有効期限に関するデータを記録することなく、自動販売機において２つずつの識別情報を重ねて認証させ、それらの識別情報を時間的にずらしながら順次変更してゆくことにより、カードの有効期限の制御を行うことが可能となる。
【００９０】
また本発明の態様によれば、カードが、ある在庫期間を経て順次消費されそれが自動販売機の中に回収されてゆくことにより、在庫のカードがどのように消費されたかを把握することが可能となり、これによりロケーションコードの変更のタイミングを決定することが可能となる。
【図面の簡単な説明】
【図１】  本発明の実施の形態の構成図である。
【図２】  図１の実施の形態の動作シーケンス図である。
【図３】  図１の実施の形態におけるロケーションコード・金額登録装置の動作フローチャートである。
【図４】  ロケーションコード登録処理の例を示す動作フローチャートである。
【図５】  ロケーションコードデータベースのデータ構成図である。
【図６】  ロケーションコード認証装置の動作フローチャートである。
【図７】  本発明の比較参考例の実施の形態の構成図である。
【図８】  図７の比較参考例の実施の形態の動作シーケンス図である。
【符号の説明】
１０１          ロケーションコード・金額登録装置
１０２          ロケーションコードデータベース
１０３、７０２  カードエンコーダ装置
１０４、７０３  磁気カード
１０５、７０４  自動販売機
１０６          ロケーションコード登録装置
１０７          ロケーションコード認証装置
１０８、７０６  カードリーダ装置
７０１          ロケーションコード・金額・有効期限登録装置
７０５          認証装置
【図１】
0003652124.tif 000002
【図２】
0003652124.tif 000003
【図３】
0003652124.tif 000004
【図４】
0003652124.tif 000005
【図５】
0003652124.tif 000006
【図６】
0003652124.tif 000007
【図７】
0003652124.tif 000008
【図８】
0003652124.tif 000009